(57)【要約】【課題】開封時における内溶液の液ハネを防止することができるアンプル容器を提供することを目的とする。【解決手段】内容液を収容した容器本体２と、容器本体２の口部２３の開口端の上方に配設された頭部３３と、頭部３３の下端に連設され、頭部３３を容器本体２に対して相対的に折り曲げることで切断可能な弱化部３４と、を備えるアンプル容器１において、容器本体２の口部２３と肩部２２との連結部分には、口部２３の内周面よりも口部径方向内側に突出した突出部２４が設けられている。【選択図】図１
2009154950.tif 000002
【特許請求の範囲】
【請求項１】
内容液を収容した容器本体と、
該容器本体の口部の開口端の上方に配設された頭部と、
該頭部の下端に連設され、該頭部を前記容器本体に対して相対的に動かすことで切断可能な弱化部と、
を備えるアンプル容器において、
前記容器本体の口部と肩部との連結部分には、前記口部の内周面よりも口部径方向内側に突出した突出部が設けられていることを特徴とするアンプル容器。
【発明の詳細な説明】
【技術分野】
【０００１】
本発明は、アンプル容器に関する。
【背景技術】
【０００２】
飲料水や薬剤、肥料等の内溶液を収容するアンプル容器として、従来、例えば特許文献１に示されているような、内溶液が収容された容器本体と、容器本体の口部の開口端の上方に配設された把手部（頭部）と、把手部の下端と口部の上端との間に介在された頸部（弱化部）と、を備えた構成が知られている。このアンプル容器では、把手部を容器本体に対して相対的に折り曲げることで頸部が切断され、容器本体が開封される。
【特許文献１】実開平５−１３４４１号公報
【発明の開示】
【発明が解決しようとする課題】
【０００３】
しかしながら、上記した従来のアンプル容器では、開封時に内溶液の液ハネが生じ易いという問題がある。詳しく説明すると、把手部を容器本体に対して相対的に折り曲げて頸部を切断する際、容器本体内の内溶液の液面に揺れが生じ、容器本体内の内溶液が容器本体の肩部の内周面に沿って跳ね上がり、内溶液が口部から容器の外へ飛散する。
【０００４】
本発明は、上記した従来の問題が考慮されたものであり、開封時における内溶液の液ハネを防止することができるアンプル容器を提供することを目的としている。
【課題を解決するための手段】
【０００５】
本発明に係るアンプル容器は、内容液を収容した容器本体と、該容器本体の口部の開口端の上方に配設された頭部と、該頭部の下端に連設され、該頭部を前記容器本体に対して相対的に動かすことで切断可能な弱化部と、を備えるアンプル容器において、前記容器本体の口部と肩部との連結部分には、前記口部の内周面よりも口部径方向内側に突出した突出部が設けられていることを特徴としている。
【０００６】
このような特徴により、頭部を容器本体に対して相対的に動かして弱化部を切断する際、容器本体内の内溶液の液面に揺れが生じ、肩部の内周面に沿って内溶液が跳ね上がっても、その内溶液は突出部によって遮られて口部の方へ向かわずに容器本体内に落下する。
【発明の効果】
【０００７】
本発明に係るアンプル容器によれば、肩部の内周面に沿って跳ね上がった内溶液が突出部によって遮られるので、開封時における内溶液の液ハネを防止することができる。
【発明を実施するための最良の形態】
【０００８】
以下、本発明に係るアンプル容器の実施の形態について、図面に基いて説明する。
図１は本発明に係るアンプル容器の一例を示した縦半断面図である。
なお、本実施の形態では、容器本体２の口部２３側（図１における上側）を上方とし、その反対側（図１における下側）を下方とする。また、図１に示す鎖線Ｌはアンプル容器１の中心軸線であり、以下単に中心軸線Ｌと記す。
【０００９】
図１に示すように、アンプル容器１は、内容液Ｘを収容した容器本体２と、容器本体２の口部２３に装着されたキャップ体３と、を備えている。容器本体２及びキャップ体３は、それぞれ例えば合成樹脂やガラス等からなる部材であり、容器本体２にキャップ体３を組み付けることによりアンプル容器１が製作される。
【００１０】
容器本体２は、中心軸線Ｌに沿って延びる略円筒形状の胴部２０と、この胴部２０の下方に設けられて胴部２０の下端を閉塞する底部２１と、前記胴部２０の上端部に連設されているとともに胴部２０の上端から上方に向かうに従い漸次縮径された肩部２２と、この肩部２２の上方に配設された口部２３と、を備えている。口部２３の下端部の外周面には、口部径方向の外側に突出した凸状の係止部２３ａが全周に亘って形成されている。なお、上記した胴部２０、肩部２２及び口部２３は、中心軸線Ｌを共通軸として同軸上に延設されており、底部２１は中心軸線Ｌに対して垂直に配設されている。
【００１１】
上記した口部２３と肩部２２との連結部分には、口部２３の内周面よりも口部径方向内側に突出した突出部２４が設けられている。詳しく説明すると、突出部２４は、口部２３の下端と肩部２２の上端との間に介在されており、口部２３及び肩部２２とそれぞれ一体に形成されている。この突出部２４は、縦断面視において、口部径方向内側に向けて凸曲状に折り曲げられた湾曲形状となっており、口部２３と肩部２２との連結部分に全周に亘って形成されている。すなわち、突出部２４は、肩部２２の上端から上方に向かうに従い漸次縮径された後、上方に向かうに従い漸次拡径されて口部２３の下端に連結された構成となっている。
【００１２】
キャップ体３は、中心軸線Ｌに対して垂直に配設された天壁部３０と、天壁部３０の外縁部から垂下された外筒部３１と、天壁部３０の下面から垂下されて外筒部３１の内側に配設されたシール筒部３２と、天壁部３０の上方に起立された中空の頭部３３と、頭部３３の下端に連設された弱化部３４と、を備えている。
【００１３】
天壁部３０は、口部２３の上方に配設された円環状の板部であり、その中央部分には、口部２３内に連通する開口３０ａが形成されている。
外筒部３１は、略円筒形状の連続壁であり、口部２３の外側に周設されている。外筒部３１の下端部の内周面には、外筒径方向内側に突出した係止部３１ａが全周に亘って形成されており、この係止部３１ａが、上記した口部２３の係止部２３ａに係止されることで、外筒部３１と口部２３とがアンダーカット嵌合されている。なお、外筒部３１の内周面に雌ねじが形成され、口部２３の外周面に雄ねじが形成され、外筒部３１と口部２３とがねじ嵌合されていてもよい。
シール筒部３２は、略円筒形状の連続壁であり、口部２３の内側に嵌合されている。このシール筒部３２の外周面は口部２３の内周面に液密に密接されている。
【００１４】
頭部３３は、中心軸線Ｌに沿って延びた筒状の部材であり、容器本体２の口部２３の開口端（上端）の上方に配設されている。詳しく説明すると、頭部３３は、中心軸線Ｌに対して垂直に配設された天壁部３３ａと、天壁部３３ａの外縁部から垂下された周壁部３３ｂと、を備えている。頭部３３の下端は天壁部３０の開口３０ａ側に向けて開放されており、上側から、頭部３３の内部、弱化部３４の内側及び天壁部３０の開口３０ａの順で連通されている。頭部３３の上端は天壁部３３ａにより閉塞されており、この頭部３３によって容器本体２が密封されている。周壁部３３ｂの下部の外径は下方に向かうに従い漸次拡径されている。
【００１５】
弱化部３４は、頭部３３の下端部と天壁部３０の内縁部との間に介在された環状の連結部であり、頭部３３等の他の部位よりも脆弱であって頭部３３を容器本体２に対して相対的に折り曲げる（傾倒させる）ことで切断可能な部位である。具体的に説明すると、弱化部３４は、環状の薄肉部であり、その外周面に縦断面視略三角形状の切り込みが全周に亘って入れられた形状になっており、その外径が頭部３３の下端から下方に向かうに従い漸次縮径されている。つまり、弱化部３４の下端部が最も薄肉であって容易に切断可能になっている。
【００１６】
次に、上記した構成からなるアンプル容器１の作用について説明する。
【００１７】
アンプル容器１を開封する際、アンプル容器１を縦置きにした状態（口部２３が上向きになる状態）で、頭部３３を容器本体２に対して相対的に折り曲げる。例えば、一方の手で容器本体２の胴部２０を把持するとともに、他方の手で頭部３３の周壁部３３ｂを把持し、頭部３３を折り曲げる。これにより、弱化部３４が切断され、頭部３３を容器本体２や他のキャップ体３の部位から切り離される。そして、頭部３３が切り離されると、天壁部３０の開口３０ａが開放され、アンプル容器１が開封される。
【００１８】
このとき、容器本体２内の内溶液Ｘの液面に揺れが生じ、容器本体２内の内溶液Ｘが肩部２２の内周面に沿って跳ね上がる場合がある。このように、内溶液Ｘが跳ね上がっても、その内溶液Ｘは突出部２４によって遮られて口部２３の方へ向かわずに容器本体２内に落下する。
【００１９】
上記した構成からなるアンプル容器１によれば、肩部２２の内周面に沿って跳ね上がった内溶液Ｘが突出部２４によって遮られるので、アンプル容器１の開封時における内溶液Ｘの液ハネを防止することができる。
【００２０】
以上、本発明に係るアンプル容器の実施の形態について説明したが、本発明は上記した実施の形態に限定されるものではなく、その趣旨を逸脱しない範囲で適宜変更可能である。
例えば、上記した実施の形態では、容器本体２の口部２３に、頭部３３及び弱化部３４を有するキャップ体３を組み付けることでアンプル容器１が製作されており、容器本体２と頭部３３及び弱化部３４とが別体になっているが、本発明は、容器本体と頭部及び弱化部とが一体に形成されていてもよい。ただし、このような一体型のアンプル容器を成形する場合は、少なくともアンプル容器の頭部３３（天壁部３０）あるいはアンプル容器１の底部２１に開口を形成した状態で成形する。そして、成形後に前記開口から内容物を充填し、その後、その開口を圧着シールしてアンプル容器を密封する。
【００２１】
また、上記した実施の形態では、突出部２４が、縦断面視において、口部径方向内側に向けて凸曲状に折り曲げられた湾曲形状となっており、突出部２４の外周面が口部２３の外周面よりも縮径されているが、本発明の突出部は、口部径方向内側に突出されていればよく、他の形状の突出部であってもよい。例えば、図２に示すように、口部２３と肩部２２との連結部分の内周面に、折り返し部１２４（突出部）が突設された構成であってもよい。この折り返し部１２４は、口部２３と肩部２２との連結部分から下方に向かうに従い漸次縮径されたテーパー形状になっており、内周面全周に亘って形成されている。この折り返し部１２４を有するアンプル容器によれば、肩部２２の内周面に沿って跳ね上げられた内溶液が、折り返し部１２４に遮られて容器本体２内に落下する。
また、本発明の突出部は、口部２３と肩部２２との連結部分の肉厚を径方向内側に大きくして形成されていてもよい。
【００２２】
また、上記した実施の形態では、口部２３の内周面の全周に亘って突出部２４が形成されているが、本発明は、複数の突出部が周方向に間欠的に配設されていてもよく、或いは、突出部が周方向の一部にのみ設けられていてもよい。
【００２３】
また、上記した実施の形態では、上方に向けて延びた筒形状の頭部３３が備えられているが、本発明は、頭部の形状は適宜変更可能である。例えば、中実柱状の頭部であってもよく、或いは、球状、板状、その他の形状の頭部であってもよい。
【００２４】
また、上記した実施の形態では、全周に亘って薄肉にした弱化部３４が形成されているが、本発明は、薄肉の弱化部３４に限定されるものではなく、頭部３３を容器本体２に対して相対的に動かすことで切断可能な弱化部であればよい。例えば、非貫通の切れ目を周方向に間欠的に形成した弱化部であってもよく、或いは、頭部３３や天壁部３０よりも脆弱な材料によって成形された弱化部であってもよく、或いは、頭部３３と天壁部３０とを別々に成形してこれらを溶着等で接合した構成にすることで、その接合部分を弱化部とすることも可能である。
【００２５】
また、上記した実施の形態では、頭部３３を容器本体２に対して相対的に折り曲げることで弱化部３４を切断しているが、本発明は、頭部３３を容器本体２に対して相対的に折り曲げることで切断される弱化部３４に限定するものではなく、他の動作によって切断される弱化部であってもよい。例えば、頭部３３を容器本体２に対して相対的に回転させることでねじ切られる弱化部であってもよい。
【００２６】
また、上記した実施の形態では、頭部３３の下端部と天壁部３０の内縁部との間に弱化部３４が介在されているが、本発明は、天壁部３０の内縁部に沿って筒状の立上り部が立設され、その立上り部の上端部と頭部３３の下端部との間に弱化部３４が介在された構成であってもよい。
【００２７】
また、上記した実施の形態では、天壁部３０の下面に、口部２３の内側に嵌合されるシール筒部３２が垂下されているが、シール筒部３２が設けられていないキャップ体を用いることも可能である。
【００２８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００２９】
【図１】本発明の実施の形態を説明するためのアンプル容器の縦半断面図である。
【図２】本発明の他の実施の形態を説明するためのアンプル容器の縦断面図である。
【符号の説明】
【００３０】
１  アンプル容器
２  容器本体
２２  肩部
２３  口部
２４  突出部
３３  頭部
３４  弱化部
１２４  折り返し部（突出部）
【図１】
2009154950.tif 000003
【図２】
2009154950.tif 000004